(57)【特許請求の範囲】
【請求項１】
磁石を吸着可能な磁性体に筆記具および指示具を含む棒状文具を吸着・固定するための、「磁石部分である保持体」と、「フック面に弾性を有する樹脂で滑り止め加工をした裏表がくっつく面ファスナーと磁性体からなる、棒状文具に装着させる被保持体」より構成される棒状文具の保持具
【請求項２】
磁石を吸着可能な磁性体に筆記具および指示具を含む棒状文具を吸着・固定するための、「ストラップを備えた、磁石部分である保持体」と、「フック面に弾性を有する樹脂で滑り止め加工をした裏表がくっつく面ファスナーと、ストラップを付けるための非磁性体のパーツからなる、棒状文具に装着させる被保持体」より構成される棒状文具の保持具
【発明の詳細な説明】
【技術分野】
【０００１】  本発明は、市販されている多くの筆記具をはじめとする棒状文具を冷蔵庫等の磁性体に保持させることに関するものである。
【背景技術】
【０００２】  筆記具を冷蔵庫等の磁性体に保持させるものとして、筆記具に磁石を取り付けて吸着させるものが広く知られている。具体例として、筆記具用キャップの外面に磁石を設けたもの（特許文献１）や、内部に埋没させたものがある（特許文献２）。また、筆記具にはめ込むタイプの磁石を有した道具（特許文献３）、背面に磁石があり筆記具を挟み持つ道具（特許文献４）等がある。【０００３】  しかし、筆記具本体、またはそのキャップに磁石を取り付けたものは、使用または買い替えの際に、わざわざそういった製品を探して買ってくる必要がある。【０００４】  磁石を付着させた、筆記具にはめ込むタイプの道具では、市販されている筆記具を冷蔵庫等の磁性体に保持することができる。しかし、市販されている筆記具の太さは多種多様であり、手持ちの筆記具がこれらの保持具に対して使えない事態が起こることは容易に推察される。【０００５】  また、挟み持つ道具の類では、その部位にぴったりと収めるという、やや煩雑な動作を伴わなければならない。
【先行技術文献】
【特許文献】
【０００６】
【特許文献１】特開２００８−２０７５１１
【特許文献２】特開２００８−２５４４０３
【特許文献３】特開２０１０−１６７６５４
【特許文献４】特開平０９−０９５０８８
【発明の概要】
【発明が解決しようとする課題】
【０００７】  解決しようとする課題は、市販されている多くの筆記具をはじめとする棒状文具を、些細ではあるが煩雑な動作を伴わず、冷蔵庫等の磁性体に保持させる道具を提供することである。
【課題を解決するための手段】
【０００８】  本発明は、手持ちの筆記具をはじめとする棒状の文具をネオジム等の強力磁石を用いて冷蔵庫等の磁性体に保持させるものである。この保持具は磁石からなる保持体と、棒状文具に装着する被保持体から構成される。筆記具等の棒状文具に装着する被保持体は、フック面に滑り止め加工をした裏表がくっつく面ファスナーを使用することを特徴とする。
【発明の効果】
【０００９】  本発明は、強力磁石を皮革や布で覆ったものを媒体としてこれに保持されるバンド（被保持体）を棒状文具に装着し冷蔵庫等の磁性体に吸着・保持させるものであるが、被保持体のバンド部分に、「フック面において滑り止め加工を施した裏表がくっつく面ファスナー」を使用することによって、保持させたい棒状文具に密着させて巻くことである程度の範囲でサイズに限定されることなく対象物を磁性体に保持できるという利点がある。
【図面の簡単な説明】
【００１０】
【図１】第１実施形態（セパレートタイプ）使用時の外観図
【図２】図１の側面図
【図３】第１実施形態（セパレートタイプ）保持体の外観図
【図４】図３のＡ−Ａ‘断面図
【図５】第１実施形態（セパレートタイプ）被保持体の外面斜視図
【図６】第１実施形態（セパレートタイプ）被保持体の筆記具接着面斜視図
【図７】第２実施形態（ストラップタイプ）使用時の外観
【図８】図７の側面図
【図９】第２実施形態（ストラップタイプ）保持体の外観斜視図
【図１０】図９のＢ−Ｂ‘断面図
【図１１】第２実施形態（ストラップタイプ）被保持体の外面斜視図
【図１２】第２実施形態（ストラップタイプ）被保持体の筆記具接着面斜視図
【発明を実施するための形態】
【００１１】  以下、本発明に係る棒状文具の保持体の第１実施形態（セパレートタイプ）および。第２実施形態（ストラップタイプ）について、図面を用いて説明する。
第１実施形態および第２実施形態は、いずれもネオジム等の強力磁石からなる保持体（１およびＩ）と、これに保持される被保持体（２およびＩＩ）を組み合わせたもので、筆記具をはじめとする棒状文具（ａ）を磁性体（ｃ）に吸着・保持するものである。
棒状文具の保持体は一つのものに構成することができるが、保持体（１およびＩ）と被保持体（２およびＩＩ）のパーツに分けた理由は次の通りである。保持体（１およびＩ）は磁石であり、長く使うことができる。一方で被保持体（２およびＩＩ）は面ファスナーを使用しており、使い方によっては面ファスナーの接着力が早く弱くなることが予想される。面ファスナーの接着力が弱くなった場合、それを有する被保持体（２およびＩＩ）のみを交換することで磁石を無駄にせずに済む。
【００１２】  被保持体（２およびＩＩ）を装着するものとしては主として筆記具であるが、指示棒やレーザーポインタなどの指示具、その他棒状をなす文具など装着可能であれば特に限定されない。
【実施例１】
【００１３】  第１実施形態（セパレートタイプ）について説明する。図１は冷蔵庫等の磁性体で本発明第１実施形態の物を使用しているときの外観図であり、図２はその側面図である。磁石を有する保持体（１）を媒体として、冷蔵庫等の磁性体（ｃ）と被保持体（２）に付属した磁性体からなるＤカン（ｂ）をくっつけて被保持体（２）を装着した棒状文具を保持するものである。【００１４】  図３に示すのは保持体（１）で、強力磁石をやや厚みのある皮革や布で包んだものである。図３のＡ−Ａ‘の断面を図４で示す。ｄはネオジム等の強力磁石であり、ｅが皮革等による外被である。ｅで示す外被により次のような効果を持たせる。
（イ）強力磁石が冷蔵庫等の磁性体に直接吸着し外せなくなることを防ぐ。
また、磁石および磁性体に傷がつくことを防止する。
（ロ）磁性体との着脱をしやすくする。（持ち手部分があると、より着脱しやすい          ）
（ハ）磁石が落下したときに破損することを防ぐ。
（ニ）小児による誤飲を防ぐ。
（ホ）デザインを施すことによって、意匠性を高めることができる。
また、保持体（図３）は、紙等を磁性体に保持するクリップとしても使用可能である。保持体（図３）の強力磁石を包むものは、クッション性を有するものであれば皮革や布に限定されない。【００１５】  図５と図６は棒状文具を装着する被保持体（２）の斜視図である。ｇおよびｈは片面がループ状、反対の面がフック状の裏表がくっつく同一の面ファスナーである。フック側（ｈ）に斜線状に滑り止めの硬化後ゴム状の弾性を有する樹脂（ｉ）を接着する。樹脂を接着するときの形態は、滑り止めの効果を発揮すれば斜線状に限定されない。樹脂（ｉ）で加工した面ファスナーのフック側に、Ｄカンの平らな面を合わせて通す。このＤカンは磁性を有するものとする。Ｄカンをテープ（ｊ）と糸で留め（ｋ）、固定する。ここで使用するＤカンは、磁性を有するものであればこの形に限定されない。【００１６】棒状文具に、樹脂を接着させたフック面を密着させるように１周巻き、残りもループ面に巻き付けていく。面ファスナーだけでは滑って抜け落ちるが、樹脂を接着することにより被保持体（２）と棒状文具（ａ）とに摩擦が生じ、棒状文具にしっかりと装着することができる。【００１７】  強力磁石を内に包んだ保持体（１）を冷蔵庫等の磁性体にくっつけ、棒状文具を密着させるように巻いた被保持体（２）に付属している磁性体であるＤカン（ｂ）を保持体（１）にくっつけることで、筆記具をはじめとする棒状文具を冷蔵庫等の磁性体に吸着・保持することができる。
【実施例２】
【００１８】  次に第２実施形態（ストラップタイプ）について説明する。図７は冷蔵庫等の磁性体で本発明第２実施形態のものを使用しているときの外観図であり、図８はその側面図である。強力磁石を有する保持体（Ｉ）のストラップ（ｍ）を被保持体の非磁性体からなるコキ（ｑ）にひばり結びで取り付け、保持体（Ｉ）を冷蔵庫等の磁性体（ｃ）に吸着させることにより、被保持体（ＩＩ）を装着した棒状文具を保持するものである。【００１９】  図９に示すのは保持体（Ｉ）で、強力磁石の周りを綿で覆い布で包んだものである。図７のＢ−Ｂ‘の断面図を図１０で示す。ｄはネオジム等の強力磁石であり、ｏで綿を、ｐで全体を包む布を表す。ｏとｐで構成されるクッション性を持たせた外被により次のような効果を持たせる。
（イ）  強力磁石が冷蔵庫等の磁性体に直接吸着し外せなくなることを防ぐ。また磁石お      よび磁性体に傷がつくことを防止する。
（ロ）  磁性体との着脱をしやすくする。
（ハ）  磁石が落下したときに破損することを防ぐ。
（ニ）  小児による誤飲を防ぐ。
（ホ）  デザインを施すことによって、意匠性を高めることができる。
保持体（図９）のストラップは、保持体本体（ｌ）の中心より左右両側の位置に、輪をなすようにそれぞれの端を取り付ける。この形状をとることにより、第２実施形態（ストラップタイプ）を使用時に、ストラップ部分（ｍ）が保持本体（ｌ）に覆いかぶさらず見た目が良い。保持体（図９）の強力磁石を包むものは、クッション性を有するものであれば布と綿に限定されない。【００２０】  図１１と図１２は棒状文具を装着する被保持体（ＩＩ）の斜視図である。ｇおよびｈは片面がループ状、反対の面がフック状の裏表がくっつく同一の面ファスナーである。フック側（ｈ）に、斜線状に滑り止めの硬化後ゴム状の弾性を有する樹脂（ｉ）を接着する。樹脂を接着するときの形態は、滑り止めの効果を発揮すれば斜線状に限定されない。樹脂（ｉ）で加工した面ファスナーのフック側に、コキの芯が接するように合わせて通す。このコキは非磁性体からなる素材のものとする。コキをテープ（ｊ）と糸で留め（ｋ）固定する。図１１に示すコキ（ｑ）はハート型であるが、この形に限定されない。また、コキは非磁性体からなり、ストラップを取り付けられる形態であればＤカンや角カンなどでもよい。【００２１】  筆記具に、樹脂を接着させたフック面を密着させるように１周巻き、残りもループ面に巻き付けていく。面ファスナーだけでは滑って抜け落ちるが、樹脂を接着することにより被保持体（ＩＩ）と棒状文具（ａ）とに摩擦が生じ、棒状文具にしっかりと装着することができる。【００２２】  強力磁石を内に包んだ保持体（Ｉ）のストラップ部分を被保持体（ＩＩ）のコキにひばり結びで固定することにより、被保持体（ＩＩ）に装着した筆記具等の棒状文具を冷蔵庫等の磁性体に吸着・保持することができる。
【符号の説明】
【００２３】１    第１実施形態（セパレートタイプ）の保持体
２    第１実施形態（セパレートタイプ）の棒状文具に装着する被保持体
Ｉ    第２実施形態（ストラップタイプ）の保持体
ＩＩ  第２実施形態（ストラップタイプ）の棒状文具に装着する被保持体
ａ    棒状文具
ｂ    磁性を有するＤカン
ｃ    冷蔵庫等の磁性体面
ｄ    ネオジム等の強力磁石
ｅ    第１実施形態（セパレートタイプ）の外被
ｆ    ｅを縫い合わせた縫い目
ｇ    裏表がくっつく面ファスナーのループ面
ｈ    裏表がくっつく面ファスナーのフック面
ｉ    滑り止めのためのゴム状の弾力を有した樹脂
ｊ    Ｄカン（ｂ）を面ファスナー（ｈ）に留めるためのテープ
ｋ    テープ（ｊ）を面ファスナー（ｈ）に留めた縫い目
ｌ    第２実施形態（ストラップタイプ）の保持体本体
ｍ    第２実施形態（ストラップタイプ）の保持体ストラップ
ｎ    第２実施形態（ストラップタイプ）の保持体の縫い目
ｏ    綿
ｐ    強力磁石と綿を包む布
ｑ    非磁性体よりなるコキ
ｒ    コキ（ｑ）を面ファスナー（ｈ）に留めるためのテープ
ｓ    テープ（ｒ）を面ファスナー（ｈ）に留めた縫い目
【図１】
0005553246.tif 000002
【図２】
0005553246.tif 000003
【図３】
0005553246.tif 000004
【図４】
0005553246.tif 000005
【図５】
0005553246.tif 000006
【図６】
0005553246.tif 000007
【図７】
0005553246.tif 000008
【図８】
0005553246.tif 000009
【図９】
0005553246.tif 000010
【図１０】
0005553246.tif 000011
【図１１】
0005553246.tif 000012
【図１２】
0005553246.tif 000013